(57)【要約】【課題】複数の画像データを連結するジョブ投入装置や複数の画像データを連結するプリントサーバを使わなくとも、複数の画像データを効率よく印刷することのできる印刷装置、印刷方法、プログラム及び記録媒体を提供する。【解決手段】印刷装置は、ジョブを受信する少なくとも２以上のジョブ入力手段と、ジョブ入力手段からジョブを受信するジョブ連結制御手段と、を備え、ジョブ連結制御手段は、少なくとも２以上のジョブ入力手段のうち、特定のジョブ入力手段からジョブを受信した場合には、特定のジョブ入力手段から受信したジョブを連結する。【選択図】図１
2011031473.tif 000002
【特許請求の範囲】
【請求項１】
ジョブを受信する少なくとも２以上のジョブ入力手段と、
前記ジョブ入力手段からジョブを受信するジョブ連結制御手段と、を備え、
前記ジョブ連結制御手段は、前記少なくとも２以上のジョブ入力手段のうち、特定のジョブ入力手段からジョブを受信した場合には、前記特定のジョブ入力手段から受信したジョブを連結することを特徴とする印刷装置。
【請求項２】
ジョブから画像データを作成するインタプリタ手段と、
ジョブのデータに基づいて、インタプリタ手段を選択するインタプリタ選択手段と、を備え、
前記ジョブ連結制御手段は、前記特定のジョブ入力手段から新たにジョブを受信した場合には、前記特定のジョブ入力手段から受信した他のジョブの終了が保留中か否かを判断し、前記特定のジョブ入力手段から受信した他のジョブの終了が保留中でないと判断した場合には、ジョブ開始通知を前記インタプリタ選択手段に送信しないことを特徴とする請求項１記載の印刷装置。
【請求項３】
ジョブから画像データを作成するインタプリタ手段と、
ジョブのデータに基づいて、インタプリタ手段を選択するインタプリタ選択手段と、を備え、
前記ジョブ連結制御手段は、何れの前記ジョブ入力手段からジョブ終了通知を受信したかを判断し、前記特定のジョブ入力手段から受信したと判断した場合には、前記インタプリタ選択手段にジョブ終了通知を送信しないことを特徴とする請求項１又は２に記載の印刷装置。
【請求項４】
時間を測定する時間測定手段をさらに備え、
前記特定のジョブ入力手段は、ジョブを前記ジョブ連結制御手段に送信してから所定の時間が経過した場合には、前記ジョブ連結制御手段にタイムアウト通知を送信し、
前記ジョブ連結制御手段は、前記タイムアウト通知を受信した時点において前記特定のジョブ入力手段から受信した他のジョブの終了が保留中である場合には、前記インタプリタ選択手段にジョブ終了通知を送信することを特徴とする請求項２又は３に記載の印刷装置。
【請求項５】
前記ジョブ入力手段として、複数ページで１つのジョブが構成された複数ページジョブを受信する複数ページジョブ入力手段と、単数ページで１つのジョブが構成された単数ページジョブを受信する単数ページジョブ入力手段と、を備え、
前記特定のジョブ入力手段は、前記単数ページジョブ入力手段であり、
前記ジョブ連結制御手段は、前記単数ページジョブ入力手段から前記単数ページジョブを受信した場合には、前記単数ページジョブを連結することを特徴とする請求項１から４の何れか１項に記載の印刷装置。
【請求項６】
ジョブ入力手段が、ジョブを受信するジョブ入力ステップと、
前記ジョブ入力手段が、ジョブ連結制御手段に前記ジョブを転送するジョブ転送ステップと、
前記ジョブ連結制御手段が、特定のジョブ入力手段からジョブを受信したと判断した場合に、前記特定のジョブ入力手段から受信したジョブを連結するジョブ連結ステップと、を備えることを特徴とする印刷方法。
【請求項７】
前記ジョブ転送ステップにおいて前記特定のジョブ入力手段から新たにジョブが転送された場合に、前記特定のジョブ入力手段から受信した他のジョブの終了が保留中か否かを判断し、前記判断に基づいて、ジョブ開始通知を送信するか否かを決定するジョブ開始通知ステップと、
前記ジョブ開始通知ステップにおいて前記ジョブ開始通知を送信した場合に、インタプリタ手段を選択するインタプリタ選択ステップと、をさらに備えることを特徴とする請求項６記載の印刷方法。
【請求項８】
前記ジョブ連結制御手段が、何れのジョブ入力手段からジョブ終了通知を受信したかを判断するジョブ終了通知判断ステップをさらに備え、
前記ジョブ終了通知判断ステップにおいて、前記特定のジョブ入力手段から受信したと判断した場合には、ジョブ終了通知を送信しないことを特徴とする請求項６又は７に記載の印刷方法。
【請求項９】
前記ジョブ転送ステップにおいて前記特定のジョブ入力手段がジョブを転送してから所定の時間が経過した後に、前記ジョブ連結制御手段にタイムアウト通知を送信するタイムアウト通知ステップと、
前記タイムアウト通知を受信した時点において前記特定のジョブ入力手段から受信した他のジョブの終了が保留中であるかを判断する終了保留判断ステップと、を備え、
前記終了保留判断ステップにおいて前記タイムアウト通知を受信した時点で前記特定のジョブ入力手段から受信した他のジョブの終了が保留中であると判断した場合には、ジョブ終了通知を送信することを特徴とする請求項７又は８に記載の印刷方法。
【請求項１０】
前記ジョブ入力ステップは、複数ページで１つのジョブが構成された複数ページジョブを複数ページジョブ入力手段が受信し、単数ページで１つのジョブが構成された単数ページジョブを単数ページジョブ入力手段が受信し、
前記特定のジョブ入力手段は、前記単数ページジョブ入力手段であり、
前記ジョブ連結ステップは、前記単数ページジョブ入力手段から前記単数ページジョブを受信した場合に、前記単数ページジョブを連結することを特徴とする請求項６から９の何れか１項に記載の印刷方法。
【請求項１１】
ジョブ入力手段が、ジョブを受信する処理と、
前記ジョブ入力手段が、ジョブ連結制御手段に前記ジョブを転送する処理と、
前記ジョブ連結制御手段が、特定のジョブ入力手段からジョブを受信したと判断した場合に、前記特定のジョブ入力手段から受信したジョブを連結する処理と、をコンピュータに実行させることを特徴とするプログラム。
【請求項１２】
前記ジョブを転送する処理において前記特定のジョブ入力手段から新たにジョブが転送された場合に、前記特定のジョブ入力手段から受信した他のジョブの終了が保留中か否かを判断し、前記判断に基づいて、ジョブ開始通知を送信するか否かを決定する処理と、
前記ジョブ開始通知を送信した場合に、インタプリタ手段を選択する処理と、をコンピュータに実行させることを特徴とする請求項１１記載のプログラム。
【請求項１３】
前記ジョブ連結制御手段が、何れの前記ジョブ入力手段からジョブ終了通知を受信したかを判断し、前記特定のジョブ入力手段から受信したと判断した場合には、ジョブ終了通知を送信しない処理をコンピュータに実行させることを特徴とする請求項１１又は１２に記載のプログラム。
【請求項１４】
前記ジョブを転送する処理において前記特定のジョブ入力手段がジョブを転送してから所定の時間が経過した後に、前記ジョブ連結制御手段にタイムアウト通知を送信する処理と、
前記タイムアウト通知を受信した時点において前記特定のジョブ入力手段から受信した他のジョブの終了が保留中であるかを判断する処理と、
前記タイムアウト通知を受信した時点で前記特定のジョブ入力手段から受信した他のジョブの終了が保留中であると判断した場合に、ジョブ終了通知を送信する処理と、をコンピュータに実行させることを特徴とする請求項１２又は１３に記載のプログラム。
【請求項１５】
前記ジョブ投入装置からジョブを受信する処理は、複数ページで１つのジョブが構成された複数ページジョブを複数ページジョブ入力手段が受信し、単数ページで１つのジョブが構成された単数ページジョブを単数ページジョブ入力手段が受信し、
前記特定のジョブ入力手段は、前記単数ページジョブ入力手段であり、
前記ジョブを連結する処理は、前記単数ページジョブ入力手段から前記単数ページジョブを受信した場合に、前記単数ページジョブを連結することをコンピュータに実行させることを特徴とする請求項１１から１４の何れか１項に記載のプログラム。
【請求項１６】
請求項１１から１５の何れか１項に記載のプログラムを記録したコンピュータ読取可能な記録媒体。
【発明の詳細な説明】
【技術分野】
【０００１】
本発明は、画像データを印刷する印刷装置、印刷方法、プログラム及び記録媒体に関する。
【背景技術】
【０００２】
近年、コンピュータで動作するアプリケーションソフトウェアや、スキャナ等の入力装置を用いて画像データを生成する技術が普及している。アプリケーションソフトウェア等を用いて生成した画像データを印刷する際には、様々な種類の画像データが用いられる。このような画像データの１つとして、ＴＩＦＦ（Tagged Image File Format）が知られている。尚、ＴＩＦＦには、１ページの画像を１ファイルとして記録するＳｉｎｇｌｅＰａｇｅＴＩＦＦと、複数ページの画像を１ファイルとして記録するＭｕｌｔｉＰａｇｅＴＩＦＦとがある。
【０００３】
ＳｉｎｇｌｅＰａｇｅＴＩＦＦは１ページで１ファイルとなるため、複数ページで構成される文書は複数ファイルの画像データとして取り扱われることとなる。ＰＣ（Personal Computer）等のジョブ投入装置の中には１ファイルを１ジョブとして送信するものがあり、そのようなジョブ投入装置においては上記したような複数ページの文書を印刷する場合には、複数ジョブの画像データをそれぞれ印刷する必要がある。そのため、１つのページが１つのジョブで構成された複数ページの文書の画像データを印刷する場合には、印刷装置の処理に多くの時間がかかり印刷速度が低下してしまうという問題があった。
【０００４】
上記問題を解決するために、複数の画像データに対してプリントサーバで連結させることで、印刷装置の効率を良くする技術が開示されている（例えば、特許文献１及び特許文献２）。また、上記問題を解決する他の技術として、ジョブ投入装置が複数のＴＩＦＦファイルを連結することで、印刷装置が複数のＴＩＦＦファイルを１つのジョブとして印刷できる技術も開示されている（例えば、特許文献３）。
【発明の概要】
【発明が解決しようとする課題】
【０００５】
しかし、上記特許文献１及び特許文献２に記載の技術では、ＰＣ等のジョブ投入装置と印刷装置との間にプリントサーバの設置が必要となるという課題があった。また、上記特許文献３記載の技術では、ＴＩＦＦファイルに専用のタグを追加するなど、特殊なジョブ投入装置と特殊な印刷装置とが必要であるという課題があった。
【０００６】
さらに、１つのページが１つのジョブで構成され、かつ複数のページで構成される文書を印刷する場合、複数のページが１つのジョブで構成される文書を印刷するよりも多くの時間がかかるのは、印刷装置でジョブを取り扱うための処理時間が長いからであった。
【０００７】
本発明はこのような実情を鑑みてなされたものであり、上記課題を解決し、例えばＳｉｎｇｌｅＰａｇｅＴＩＦＦ等の１ページ毎に１ファイルとして記録された画像データで複数ページの文書が構成されている文書を印刷する場合に、複数の画像データを印刷装置が連結することで、複数の画像データを連結するジョブ投入装置や複数の画像データを連結するプリントサーバを使わなくとも、当該文書を効率よく印刷することのできる印刷装置、印刷方法、プログラム及び記録媒体を提供することを目的とする。
【課題を解決するための手段】
【０００８】
本発明の印刷装置は、ジョブを受信する少なくとも２以上のジョブ入力手段と、ジョブ入力手段からジョブを受信するジョブ連結制御手段と、を備え、ジョブ連結制御手段は、少なくとも２以上のジョブ入力手段のうち、特定のジョブ入力手段からジョブを受信した場合には、特定のジョブ入力手段から受信したジョブを連結することを特徴とする。
【０００９】
本発明の印刷方法は、ジョブ入力手段が、ジョブを受信するジョブ入力ステップと、ジョブ入力手段が、ジョブ連結制御手段にジョブを転送するジョブ転送ステップと、ジョブ連結制御手段が、特定のジョブ入力手段からジョブを受信したと判断した場合に、特定のジョブ入力手段から受信したジョブを連結するジョブ連結ステップと、を備えることを特徴とする。
【００１０】
本発明のプログラムは、ジョブ入力手段が、ジョブを受信する処理と、ジョブ入力手段が、ジョブ連結制御手段にジョブを転送する処理と、ジョブ連結制御手段が、特定のジョブ入力手段からジョブを受信したと判断した場合に、特定のジョブ入力手段から受信したジョブを連結する処理と、をコンピュータに実行させることを特徴とする。
【００１１】
本発明の記録媒体は、上記プログラムを記録したコンピュータ読取可能な記録媒体である。
【発明の効果】
【００１２】
本発明によれば、印刷処理時間を軽減し、印刷効率を向上させることが可能となる。
【図面の簡単な説明】
【００１３】
【図１】本実施形態に係る印刷装置の概略機能構成例を示すブロック図である。
【図２】本実施形態に係る印刷装置のジョブ連結制御部が実行する処理の流れの例を示すフローチャートである。
【図３】本実施形態に係る印刷装置のジョブ連結制御部が実行する処理の流れの例を示すフローチャートである。
【図４】本実施形態に係る印刷装置のジョブ連結制御部が実行する処理の流れの例を示すフローチャートである。
【発明を実施するための形態】
【００１４】
以下に本発明の実施形態の例について、図面を用いて詳細に説明する。
【００１５】
図１は、本実施形態に係る印刷装置の概略機能構成例を示す。図１に示すように、本実施形態に係る印刷装置１は、複数ページジョブ入力部１０、単数ページジョブ入力部２０、ジョブ連結制御部３０、インタプリタ選択部４０、インタプリタ５０、印刷制御部６０、ジョブ管理部７０、を備えている。
【００１６】
上記したように、本実施形態に係る印刷装置１は、複数ページジョブ入力部１０と単数ページジョブ入力部２０との複数のジョブ入力部を備えている。これらのジョブ入力部には、ジョブ投入装置と印刷装置１との間の通信プロトコルに応じた名前やアドレスを割り当てることができる。例えば、通信プロトコルにｌｐｒを使う場合、複数ページジョブ入力部１０に“ｌｐ”というキュー名をつけ、単数ページジョブ入力部２０に“ＳｉｎｇｌｅＰａｇｅ”というキュー名をつけることで、ジョブ投入装置が印刷装置１のジョブ入力部を指定することができる。
【００１７】
ＰＣ等のジョブ投入装置では、通常の文書を印刷する場合であれば、複数ページジョブ入力部１０にジョブを送信する。他方、ＳｉｎｇｌｅＰａｇｅＴＩＦＦのような、１つのページつまり単数ページで１つのジョブが構成され、かつ複数ジョブで構成された１つの文書を印刷する場合であれば、ジョブ投入装置は、印刷速度を向上させるために、単数ページジョブ入力部２０にジョブを送信することができる。
【００１８】
ここで、単数ページジョブ入力部２０に送信されたジョブは１つに連結されるため、１つに連結されても印刷結果の変わらないジョブ、例えばＳｉｎｇｌｅＰａｇｅＴＩＦＦのような１ページが１つの画像から構成されたジョブであることが好ましい。尚、本実施形態では、ジョブとしてＴＩＦＦ印刷等を例に挙げて説明するが、ジョブの種類はこれに限定されるものではない。また、ジョブ投入装置と印刷装置とにおいてジョブの対応を取らなくてもいいように、厳密なジョブ管理をしなくてよいジョブであることが好ましい。言い換えれば、印刷装置は、ジョブ投入装置が投入した複数のジョブ（例えば１０ジョブ）を１つに連結して１ジョブに集約する。これにより、ジョブ投入装置からは、投入した個々のジョブの印刷が終わったかどうかを判断することを確認できない状態となる。一方で、このような確認（ジョブ管理）よりも、印刷速度が優先したい場合などがあり、このような場合に、本発明は特に有用である。
【００１９】
以下に、本実施形態に係る印刷装置１が備える各機能について説明する。尚、本実施形態では、印刷装置がジョブをジョブ投入装置から受信する例を挙げて説明するが、これに限定されるものではない。
【００２０】
複数ページジョブ入力部１０及び単数ページジョブ入力部２０はジョブ投入装置との間で通信を行い、ジョブ投入装置から受信したジョブをジョブ連結制御部３０に転送する。
【００２１】
ジョブ連結制御部３０は、単数ページジョブ入力部２０から受信したジョブに対しては、単数ページジョブ入力部２０から別のジョブを受信していない場合は、新規の印刷ジョブを作成し、インタプリタ選択部４０に送信する。他方、既に単数ページジョブ入力部２０から別のジョブを受け取っている場合は、その時に作成した印刷ジョブに新たに単数ページジョブ入力部２０から受信したジョブを追加し、インタプリタ５０に渡す。
【００２２】
また、ジョブ連結制御部３０は、複数ページジョブ入力部１０から受信したジョブに対しては、新規の印刷ジョブを作成し、インタプリタ選択部４０に送信する。このとき、単数ページジョブ入力部２０から受け取ったジョブが処理中であれば、そのジョブの終了をインタプリタ５０に通知する。
【００２３】
さらに、ジョブ連結制御部３０は、複数ページジョブ入力部１０及び単数ページジョブ入力部２０からジョブ開始通知とジョブ終了通知とを受信する。また、ジョブ連結制御部３０は、単数ページジョブ入力部２０からは接続待機タイムアウト通知も受信する。
【００２４】
インタプリタ選択部４０は、ジョブデータを解析し、何れのインタプリタを使用するかを選択し、決定する。本実施形態では、インタプリタ選択部４０が、インタプリタとしてページ記述言語（ＰＤＬ）のインタプリタを選択する例を挙げて説明するが、これに限定されるものではない。
【００２５】
インタプリタ５０は、印刷ジョブを受け取るたびに印刷ジョブから画像データを作成し、印刷制御部６０に転送する。また、ジョブの先頭では初期化処理等を行う。尚、本実施形態では、インタプリタ５０としてＰＤＬインタプリタを例に挙げて説明するが、これに限定されるものではない。印刷制御部６０は、画像データの印刷動作を行う。ジョブ管理部７０は、ジョブの印刷状況などを記録する。
【００２６】
図２〜図４は、本実施形態に係る印刷装置１のジョブ連結制御部３０が実行する処理の流れの例を示す。以下、本実施形態に係る印刷装置１の動作例について、図２〜図４を用いて説明する。
【００２７】
（ジョブ開始処理）
図２は、本実施形態に係る印刷装置１のジョブ連結制御部３０が、複数ページジョブ入力部１０又は単数ページジョブ入力部２０からジョブ開始通知を受信する際の処理の流れ、すなわちジョブ開始処理の流れの例を示す。
【００２８】
まず、ＰＣ等のジョブ投入装置が、複数ページジョブ入力部１０及び単数ページジョブ入力部２０の何れのジョブ入力部を使用してジョブを送信したかを判断する（ステップＳ２０１）。ＰＣ等のジョブ投入装置が複数ページジョブ入力部１０を使ってジョブを送信開始した場合(ステップＳ２０１／ＹＥＳ)、ジョブ連結制御部３０は複数ページジョブ入力部１０からジョブ開始通知を受け取る。このとき、ジョブ連結制御部３０は単数ページジョブの終了通知が保留中であるか否かを判断する（ステップＳ２０２）。そして、単数ページジョブの終了通知が保留中であると判断した場合（ステップＳ２０２／ＹＥＳ）は、保留中の単数ページジョブの終了通知をインタプリタ５０に送信する(ステップＳ２０３)。その後、インタプリタ選択部４０にジョブ開始を通知する(ステップＳ２０４)。
【００２９】
上記ステップＳ２０２の処理において、単数ページジョブの終了通知が保留中でないと判断した場合（ステップＳ２０２／ＮＯ）は、インタプリタ選択部４０にジョブ開始を通知する(ステップＳ２０４)。
【００３０】
他方、ＰＣ等のジョブ投入装置が単数ページジョブ入力部２０を使ってジョブを送信開始した場合(ステップＳ２０１／ＮＯ)、ジョブ連結制御部３０は単数ページジョブ入力部２０からジョブ開始通知を受け取る。このとき、ジョブ連結制御部３０は単数ページジョブの終了通知が保留中であるか否かを判断する（ステップＳ２０５）。そして、単数ページジョブの終了通知が保留中でないと判断した場合(ステップＳ２０５／ＮＯ)は、インタプリタ選択部４０にジョブ開始を通知する(ステップＳ２０４)。
【００３１】
上記ステップＳ２０５の処理において、単数ページジョブの終了通知が保留中であると判断した場合（ステップＳ２０５／ＹＥＳ）は、インタプリタ選択部４０にジョブ開始通知を送信せずに動作を終了する。つまり、インタプリタ選択部４０が実行されず、その結果、例えばＰＤＬインタプリタもジョブ先頭での初期化処理を実行しない。
【００３２】
（ジョブ終了処理）
図３は、本実施形態に係る印刷装置１のジョブ連結制御部３０が、複数ページジョブ入力部１０又は単数ページジョブ入力部２０からジョブ終了通知を受信する際の処理の流れ、すなわちジョブ終了処理の流れの例を示す。
【００３３】
まず、ＰＣ等のジョブ投入装置が、複数ページジョブ入力部１０及び単数ページジョブ入力部２０の何れのジョブ入力部を使用してジョブを送信終了したかを判断する（ステップＳ３０１）。ＰＣ等のジョブ投入装置が複数ページジョブ入力部１０を使ってジョブを送信終了した場合（ステップＳ３０１／ＹＥＳ）、ジョブ連結制御部３０は複数ページジョブ入力部１０からジョブ終了通知を受け取る。そして、ジョブ連結制御部３０は、インタプリタ選択部５０にジョブ終了を通知する(ステップＳ３０２)。
【００３４】
他方、ＰＣ等のジョブ投入装置が、単数ページジョブ入力部２０を使ってジョブを送信終了した場合（ステップＳ３０１／ＮＯ）、ジョブ連結制御部３０は単数ページジョブ入力部２０からジョブ終了通知を受け取るが、何もしない。つまり、単数ページジョブ入力部２０から受信したジョブ終了通知は保留される。
【００３５】
（単数ページジョブ接続待機タイムアウト処理）
図４は、本実施形態に係る印刷装置１のジョブ連結制御部３０が、単数ページジョブ入力部２０から接続待機タイムアウト通知を受信する際の処理の流れの例を示す。
【００３６】
ＰＣ等のジョブ投入装置が単数ページジョブ入力部２０を使用してジョブを送信終了した後、既定の時間が経過すると、ジョブ連結制御部３０は単数ページジョブ入力部２０から接続待機タイムアウト通知を受信する（ステップＳ４０１）。このとき、ジョブ連結制御部３０は、上記図３で示したように単数ページジョブの終了通知が保留中であるか否かを判断する（ステップＳ４０２）。単数ページジョブの終了通知が保留中であると判断した場合（ステップＳ４０２／ＹＥＳ）、ジョブ連結制御部３０は保留中の単数ページジョブの終了通知をインタプリタ５０に送信し(ステップＳ４０３)、動作を終了する。
【００３７】
他方、上記ステップＳ４０２の処理において、単数ページジョブの終了通知が保留中でないと判断した場合（ステップＳ４０３／ＹＥＳ）には、ジョブ連結制御部３０はそのまま動作を終了する。
【００３８】
尚、単数ページジョブ入力部は、単数ページジョブ入力部が内蔵する時間測定部、例えばタイマーによる時間測定に基づいて接続待機タイムアウトの通知をいつ送信するかを決定することができる。また、時間測定部は、単数ページジョブ入力部に内蔵されるものに限定されるものではない。
【００３９】
本実施形態により、印刷装置においてジョブ開始及び終了に関する処理を削減することで、印刷装置の処理時間を減らすことが可能となる。つまり、ジョブ投入装置やプリントサーバを使わなくとも、印刷時間を短縮することが可能となる。
【００４０】
具体的には、例えば、１つのページが１つのジョブで構成され、かつ複数のページで構成される文書を印刷する場合、ＰＤＬインタプリタ選択処理やＰＤＬインタプリタでのジョブ開始処理を行う回数を減らすことができ、印刷装置の処理時間を減らすことが可能となる。つまり、複数の画像データを印刷装置が連結することで、複数の画像データを連結するジョブ投入装置や複数の画像データを連結するプリントサーバを使わなくとも、印刷時間を短縮することが可能となり、印刷効率を向上させることが可能となる。
【００４１】
尚、各図のフローチャートに示す処理はプログラムにより構成され、印刷装置１が有する図示しないＣＰＵ（Central Processing Unit）により実行される。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、各装置が有するＣＰＵで上記プログラムを実行させることにより、本発明と実質的に同じ効果を得ることができる。
【００４２】
以上好適な実施の形態に基づき具体的に説明したが、本発明は上述した印刷装置、印刷方法、プログラム及び記録媒体に限定されるものではなく、その要旨を逸脱しない範囲で種々変更可能であるということは言うまでもない。
【符号の説明】
【００４３】
１    印刷装置
１０    複数ページジョブ入力部
２０    単数ページジョブ入力部
３０    ジョブ連結制御部
４０    インタプリタ選択部
５０    インタプリタ
６０    印刷制御部
７０    ジョブ管理部
【先行技術文献】
【特許文献】
【００４４】
【特許文献１】特開２００５−１９６６４７号公報
【特許文献２】特開２００５−１４１４４８号公報
【特許文献３】特許第４１５２８３８号公報
【図１】
2011031473.tif 000003
【図２】
2011031473.tif 000004
【図３】
2011031473.tif 000005
【図４】
2011031473.tif 000006